(57)【特許請求の範囲】
【請求項１】
ベースと、
筒状で、前記ベースに装着され、内面に、弾性変形可能で、押込操作可能な押圧部を有する複数のアーム部を備えたケースと、
前記ベース上に揺動操作可能に配置される操作部材と、
前記ケースによって囲まれた領域内に配置され、前記押圧部の押込操作を検出する第１の検出部、及び、前記操作部材による揺動操作を検出する第２の検出部を有する検出部材と、を備え、
前記操作部材は、一端部を前記ベースに取り付けられる、少なくとも２つのコイルスプリングの他端部に接続されることにより弾性支持され、マグネットに前記コイルスプリングが接続される、操作部を備えたホルダを一体化してなり、
前記マグネットは、中心孔を有する環状に形成され、前記コイルスプリングとの干渉を回避するために、中心孔から外周に延びるガイド溝を備えたことを特徴とする入力装置。
【請求項２】
前記検出部材は、前記第１の検出部を周方向に複数配置し、前記第２の検出部を、前記各第１の検出部の間に、周方向に複数配置し、
前記コイルスプリングは、前記アーム部とは干渉しない位置で、前記ベースに取り付けたことを特徴とする請求項２に記載の入力装置。
【請求項３】
前記請求項１又は２に記載の入力装置を備えたことを特徴とする電子機器。
【請求項４】
弾性変形可能で、押込操作可能な押圧部を有する複数のアーム部を備えた電子機器本体と、
前記電子機器本体上に揺動操作可能に配置される操作部材と、
前記電子機器本体内に配置され、前記押圧部の押込操作を検出する第１の検出部、及び、前記操作部材による揺動操作を検出する第２の検出部を有する検出部材と、を備え、
前記操作部材は、一端部を前記電子機器本体に取り付けられる、少なくとも２つのコイルスプリングの他端部に接続されることにより弾性支持され、マグネットに前記コイルスプリングが接続される、操作部を備えたホルダを一体化してなり、
前記マグネットは、中心孔を有する環状に形成され、前記コイルスプリングとの干渉を回避するために、中心孔から外周に延びるガイド溝を備えたことを特徴とする電子機器。
【発明の詳細な説明】
【技術分野】
【０００１】
本発明は、入力装置、特に、携帯電話、ＰＨＳ（Personal Handy-phone System）、ＰＤＡ（Personal Digital Assistant）、デジタルカメラ、ＭＰ３プレーヤー、リモコン等、種々の電子機器に採用可能な入力装置、及び、この入力装置を備えた電子機器に関するものである。
【背景技術】
【０００２】
従来、入力装置として、押釦つまみで中心のスイッチを操作し、揺動つまみで周囲４箇所のスイッチを操作するようにした構成のものが公知である（例えば、特許文献１参照）。
【０００３】
【特許文献１】特開２００１−１８５００４号公報
【発明の開示】
【発明が解決しようとする課題】
【０００４】
しかしながら、前記従来の入力装置では、揺動つまみで周囲４箇所のスイッチのいずれかを操作する場合であっても、揺動つまみ全体を傾斜させる必要がある。このため、この揺動つまみを支持する連結部材が、１箇所のみならず、複数箇所で同時に弾性変形し、揺動つまみの操作感触に複雑に影響する。つまり、操作感触の調整が非常に難しく、又、各スイッチの間でも操作感触が相違する上、操作性が悪いという問題がある。
【０００５】
そこで、本発明は、操作性に優れ、しかも、所望の操作感触を得ることのできる入力装置及び該入力装置を備えた電子機器を提供することを課題とする。
【課題を解決するための手段】
【０００６】
本発明は、前記課題を解決するための手段として、
入力装置を、
ベースと、
筒状で、前記ベースに装着され、内面に、弾性変形可能で、押込操作可能な押圧部を有する複数のアーム部を備えたケースと、
前記ベース上に揺動操作可能に配置される操作部材と、
前記ケースによって囲まれた領域内に配置され、前記押圧部の押込操作を検出する第１の検出部、及び、前記操作部材による揺動操作を検出する第２の検出部を有する検出部材と、を備え、
前記操作部材は、一端部を前記ベースに取り付けられる、少なくとも２つのコイルスプリングの他端部に接続されることにより弾性支持され、マグネットに前記コイルスプリングが接続される、操作部を備えたホルダを一体化してなり、
前記マグネットは、中心孔を有する環状に形成され、前記コイルスプリングとの干渉を回避するために、中心孔から外周に延びるガイド溝を備えた構成としたものである。
【０００７】
この構成により、いずれの押圧部を押込操作しても、それぞれ対応するアーム部が弾性変形する。つまり、ある押圧部を操作しても、他の押圧部を支持するアーム部の影響を受けることがない。したがって、アーム部の弾性力のみを考慮して設計するだけで、簡単に所望の操作感触を得ることができ、各アーム部間でのバラツキをも抑制して、操作性に優れたものとすることが可能となる。また、ベースに装着するケースにアーム部を形成するだけでよいので、構成を簡略化することが可能となる。さらに、コンパクトな構成であるにも拘わらず、異なる２種類の操作を検出することが可能となる。また、操作部材をコイルスプリングだけで支持することができるので、構造を簡素化して安価に制作することが可能となる。また、操作部と検出部によって検出されるマグネットとを一体として、さらに構成を簡略化することが可能となる。また、ベース上の載置方向での寸法を抑制して、薄型化を実現可能となる。
【０００８】
なお、前記ケースは合成樹脂を成形加工することにより形成し、前記押圧部を有するアーム部は、ケースを成形加工する際に同時に形成するのが好ましい。これによれば、加工が簡単で、より一層、操作性の高い、所望の操作感触を得ることのできる構成を容易に得ることが可能となる。
【００１５】
前記検出部材は、前記検出部を周方向に複数配置し、前記第２の検出部を、前記各第１の検出部の間に、周方向に複数配置し、
前記コイルスプリングは、前記アーム部とは干渉しない位置で、前記ベースに取り付けるのが好ましい。
【００１６】
この構成により、無駄なスペースをなくして、より一層コンパクトな構成とすることが可能となる。
【００１７】
また、本発明は、前記課題を解決するための手段として、電子機器を、前記いずれかの構成の入力装置を備えた構成としたものである。
【００１８】
また、本発明は、前記課題を解決するための手段として、
電子機器を、
弾性変形可能で、押込操作可能な押圧部を有する複数のアーム部を備えた電子機器本体と、
前記電子機器本体上に揺動操作可能に配置される操作部材と、
前記電子機器本体内に配置され、前記押圧部の押込操作を検出する第１の検出部、及び、前記操作部材による揺動操作を検出する第２の検出部を有する検出部材と、を備え、
前記操作部材は、一端部を前記電子機器本体に取り付けられる、少なくとも２つのコイルスプリングの他端部に接続されることにより弾性支持され、マグネットに前記コイルスプリングが接続される、操作部を備えたホルダを一体化してなり、
前記マグネットは、中心孔を有する環状に形成され、前記コイルスプリングとの干渉を回避するために、中心孔から外周に延びるガイド溝を備えた構成としたものである。
【発明の効果】
【００１９】
本発明によれば、ケースの内側面に形成した弾性変形可能なアーム部により、その自由端側に設けた押圧部の押込操作を可能としたので、アーム部を複数設けることにより、別個独立した操作が可能となる。つまり、アーム部の弾性力のみを考慮して設計するだけで、簡単に所望の操作感触を得ることができ、操作性に優れたものとすることが可能となる。
【発明を実施するための最良の形態】
【００２０】
以下、本発明に係る実施形態を添付図面に従って説明する。なお、以下の説明では、必要に応じて特定の方向や位置を示す用語（例えば、「上」、「下」、「側」、「端」及びそれらの用語を含む別の用語）を用いるが、それらの用語の使用は図面を参照した発明の理解を容易にするためであって、それらの用語の意味によって本発明の技術的範囲が限定されるものではない。
【００２１】
図１から図３は、本実施形態に係る入力装置１を示す。この入力装置１は、大略、ベースプレート２と、プリント基板３と、円筒ケース４と、マグネット５と、ホルダ６と、トッププレート７と、を備える。
【００２２】
ベースプレート２は、金属材料（例えば、ステンレス鋼）を平面視略円形の板状としたものである。ベースプレート２の外周縁４箇所には、後述する円筒ケース４の装着に利用される第１切欠部８がそれぞれ形成されている。そして、各第１切欠部８の内縁が切り起こされることによりスプリング受部９がそれぞれ形成されている。各スプリング受部９の上端は略Ｕ字形となっている。
【００２３】
また、ベースプレート２の外周縁部には、２箇所等分に、前記第１切欠部８の２箇所に隣接して第１延設部１０がそれぞれ形成されている。各第１延設部１０には、取付孔１１、１１と位置決め孔１２ａ、１２ｂがそれぞれ形成されている。取付孔１１を利用してベースプレート２を、例えば、携帯電話の筐体（図示せず）にネジ止めすることが可能となっている。一方の位置決め孔１２ａは円形であるが、他方の位置決め孔１２ｂは長孔となっている。したがって、前記筐体に、位置決め孔１２ａ、１２ｂにそれぞれピン（図示せず）を挿通し、位置決め孔１２ｂの形状によって位置調整して、確実に所望の位置に取り付けることが可能となっている。
【００２４】
さらに、ベースプレート２の外周部には、２箇所等分に第１貫通孔１３がそれぞれ形成されている。これら第１貫通孔１３は位置決めピン（図示せず）が挿通し、ベースプレート２に対して後述するプリント基板３を位置決めする際に利用される。
【００２５】
プリント基板３は、平面視略円形の検出部１４と、この検出部１４から延びるリード部１５とからなるＦＰＣ（Flexible Printed Circuits）である。
【００２６】
検出部１４の外周縁には、前記ベースプレート２の第１切欠部８に対応する位置に第２切欠部１６がそれぞれ形成されている。また、検出部１４の中央部とその周囲４箇所には、ドーム状に突出したスイッチ１７ａ、１７ｂがそれぞれ設けられている。周囲４箇所のスイッチ１７ｂは、スイッチ１７ａを中心として周方向に等分に配置されている。各スイッチ１７ｂの間には、４箇所等分にホール素子１８がそれぞれ実装されている。各ホール素子１８は、後述するホルダ６の環状保持部２８を操作することにより、そこに一体化したマグネット５が移動して磁界が変化したことを電気信号として出力する。
【００２７】
また、プリント基板３には、前記ベースプレート２の第１貫通孔１３に対応する位置に第２貫通孔１９がそれぞれ形成されている。両貫通孔１３、１９には位置決めピン（図示せず）が挿通され、プリント基板３がベースプレート２に対して位置決めされるようになっている。
【００２８】
一方、リード部１５には、ＩＣ（Integrated Circuit）２０が実装されている。ＩＣ２０は、前記各ホール素子１８から入力された電気信号に基づいてホルダ６の操作方向及び操作量を演算し、所定の制御を実行する。
【００２９】
円筒ケース４は、図４（ａ）、（ｂ）に示すように、合成樹脂材料を略円筒状としたものである。円筒ケース４の環状上端部には４箇所等分に上方側係合突部２１と抜止片２２がそれぞれ４５度位置をずらせて形成されている。また、円筒ケース４の環状下端部には、前記抜止片２２に対応する位置に、４箇所等分で下方側係合突部２３がそれぞれ形成されている。さらに、円筒ケース４の内周面には、４箇所等分でアーム部２４が形成されている。各アーム部２４は、円筒ケース４の内側に突出し、その内周面に沿って同じ方向に延びている。そして、各アーム部２４の先端には、押圧部２５がそれぞれ設けられている。各押圧部２５の上端は前記上方側係合突部２１よりも上方に突出し、下端面には突起２５ａがそれぞれ形成されている。
【００３０】
マグネット５は環状で、図５に示すように、外周縁が４箇所等分で切除されることにより第３切欠部２６がそれぞれ形成されている。各第３切欠部２６の間には、中心孔５ａから外縁に延びるガイド溝２７がそれぞれ形成されている。そして、このような複雑な形状のマグネット５は、合成樹脂材料に磁性体の粉末を混合して成形加工することにより得ることが可能である。
【００３１】
ホルダ６は、合成樹脂材料を成形することにより形成されるものである。ホルダ６の上面中央部には環状保持部２８が形成されている。環状保持部２８には、図１に示す操作ボタン４３が取り付けられる。操作ボタン４３は、その下面中央部に形成した突出部４３ａを環状保持部２８の中央の凹部２８ａに嵌合される（図３参照）。なお、環状保持部２８の周囲４箇所には長穴２９がそれぞれ形成されている。
【００３２】
また、ホルダ６の外周縁には、前記マグネット５の第３切欠部２６に対応する４箇所の位置に第４切欠部３０がそれぞれ形成されている。各第４切欠部３０の間の４箇所の突出部３１には、その外縁中央に第５切欠部３２がそれぞれ形成されている。そして、長穴２９と第５切欠部３２との間は橋梁部３３となっている。各橋梁部３３の下面は、図６に示すように、ホルダ６の下面から突出し、そこには長穴２９と第５切欠部３２とを結ぶ溝部３４がそれぞれ形成されている。
【００３３】
さらに、ホルダ６の下面中央部には、前記橋梁部３３と同一高さで、円柱状の第１突出部３５が形成されている。第１突出部３５の中央部には第２突出部３６が形成されている。第２突出部３６は、略円柱状で、外周部には回止部３７が形成されている。第２突出部３６の中央部には突起３６ａが形成され、プリント基板３の中央部に形成したスイッチ１７ａを押圧可能となっている。
【００３４】
ホルダ６の下面には取付プレート３８が取り付けられる。この取付プレート３８には、図５に示すように、前記第２突出部３６が挿通する中心孔３８ａが形成されている。中心孔３８ａを構成する内縁には、回止部３７が係止する切欠き３８ｂが形成され、ホルダ６に対して取付プレート３８を回転方向に位置決めできるようになっている。また、取付プレート３８の外周縁には、４箇所等分で外方に延設される第２延設部３９が形成されている。各第２延設部３９には、前記長穴２９に対応する位置に矩形孔３８ｃがそれぞれ形成されている。取付プレート３８は、ホルダ６の下面に取り付けた状態で、各第２延設部３９の外縁部が橋梁部３３の下面に当接し、溝部３４を介してコイルスプリング４０を保持可能となっている。
【００３５】
コイルスプリング４０は、両端から所定寸法内側に小径部４１ａ、４１ｂを備える。コイルスプリング４０の一端側の小径部４１ａは、前記ホルダ６の橋梁部３３に形成した溝部３４に配置され、取付プレート３８によって抜止される。また、他端側の小径部４１ｂは、前記ベースプレート２に形成したスプリング受部９に保持される。
【００３６】
トッププレート７は、図１に示すように、金属材料（例えば、ステンレス鋼）を平面視略円形の板状としたものである。トッププレート７の外周縁には４箇所等分で第６切欠部４２がそれぞれ形成されている。また、トッププレート７の中心孔７ａと各第６切欠部４２の間には、矩形孔７ｂがそれぞれ形成されている。各矩形孔７ｂには、前記円筒ケース４のアーム部２４に形成した押圧部２５の上端部が、上面側から押込可能に突出する。
【００３７】
続いて、前記構成からなる入力装置１の組立方法について説明する。
【００３８】
まず、ベースプレート２上にプリント基板３を載置する。このとき、ベースプレート２の第１貫通孔１３とプリント基板３の第２貫通孔１９に図示しない位置決めピンを挿通し、ベースプレート２に対してプリント基板３を位置決めする。なお、前記ベースプレート２は、取付孔１１を利用して図示しない治具等に固定しておけば、組立作業を作業効率よく行うことができる。
【００３９】
一方、ホルダ６には、その橋梁部３３に形成した溝部３４にコイルスプリング４０の小径部４１ａを配置する（つまり、コイルスプリングを引っかける。）。そして、ホルダ６の下面に取付プレート３８を装着する、このとき、ホルダ６の回止部３７を取付プレート３８の切欠き６ｂに係止させ、ホルダ６に対して取付プレート３８を回転方向に位置決めする。これにより、第２延設部３９の外縁部によってコイルスプリング４０が溝部３４から抜け止めされる。またこの状態では、コイルスプリング４０の一端部がホルダ６の長穴２９と取付プレート３８の矩形孔３８ｃに位置し、両部材（ホルダ６、取付プレート３８）との干渉が回避される。
【００４０】
このようにして取付プレート３８によってコイルスプリング４０を保持したホルダ６をマグネット５に装着する。このとき、ホルダ６の第２突出部３６をマグネット５の中心孔５ａに位置させ、マグネット５の下面位置よりも下方に突起３６ａを突出させる。
【００４１】
そして、これらの部品（ホルダ６、コイルスプリング４０、取付プレート３８及びマグネット５）をベースプレート２に取り付ける。すなわち、コイルスプリング４０の他端側の小径部４１ｂをベースプレート２のスプリング受部９に配置する。これにより、マグネット５及びホルダ６は、円筒ケース４内にコイルスプリング４０を介して４方向から下方側に付勢された状態で弾性支持される。
【００４２】
続いて、ベースプレート２に円筒ケース４を装着する。円筒ケース４の装着では、その下方側係合突部２３をベースプレート２の第１切欠部８に嵌合することにより行う（熱カシメ、接着、係止等であってもよい。）。このとき、抜止片２２によってスプリング受部９に保持したコイルスプリング４０の小径部４０ｂが抜け止めされる。これにより、ホルダ６に形成した突起３６ａがプリント基板３の中央部のスイッチ１７ａに押込可能な状態で当接する。このため、このような組み付け状態で、ホルダ６（取付プレート３８及びマグネット５を含めて）はがたつくことがない。また、円筒ケース４のアーム部２４の先端に形成した押圧部２５が、その突起２５ａをプリント基板３の周囲４箇所に設けたスイッチ１７に押込可能な状態で当接する。
【００４３】
最後に、円筒ケース４の上端部にトッププレート７を装着する。トッププレート７の装着は、その第６切欠部４２に、円筒ケース４の上方側係合突部２１を嵌合させることにより行う（熱カシメ、接着、係止等であってもよい。）。そして、この装着状態では、トッププレート７の矩形孔７ｂから円筒ケース４の押圧部２５の上端部が押込可能に突出する。これにより、入力装置１の組立作業が終了する。
【００４４】
次に、前記構成からなる入力装置１の動作について説明する。
【００４５】
ホルダ６の環状保持部２８を操作する前の状態では、このホルダ６に一体化したマグネット５はコイルスプリング４０によって４方から引っ張られ、トッププレート７の中心孔７ａの中心部に位置する。そこで、環状保持部２８をコイルスプリング４０の付勢力に抗して径方向のいずれかに操作すると、その操作に伴ってマグネット５が移動し、磁界が変化する。ホール素子１８はその磁界の変化を検出し、ＩＣ２０に電気信号を出力する。ＩＣ２０は、この電気信号に基づいてマグネット５の移動方向及び移動量を演算する。
【００４６】
環状保持部２８に付与した力を除去すると、コイルスプリング４０の弾性力によりマグネット５は中心位置へと復帰する。そして、この状態で、環状保持部２８を押し込めば、その突起３６ａがスイッチ１７ａを押し下げ、スイッチ１７ａはオン状態となる。また、周囲４箇所から突出する押圧部２５を押し込むと、アーム部２４が弾性変形し、下端面の突起２５ａがプリント基板３のスイッチ１７ｂを押し下げる。これにより、スイッチ１７ｂはオン状態となる。この場合、中央部の環状保持部２８の操作とは無関係に独立して押圧部２５を押込操作することができる。つまり、押圧部２５を押込操作する際の操作感は、アーム部２４の弾性力及びスイッチ１７ｂの反力のみによって決まるので、予め所望の反力が得られるように設定するだけで適切なものとすることが可能となっている。
【００４７】
前記入力装置１は、図８に示すように、携帯電話４４に組み込んで使用することができる。例えば、４箇所に露出する押圧部２５のいずれかを押込操作することにより、モニター４５に表示させた複数の項目のいずれかを、他と識別可能に表示（例えば、ハイライト表示）させることができる。そして、所望の項目が他と識別可能に表示されて、環状保持部２８が押し込まれれば、選択された項目を実行する。具体的には、押圧部２５の操作により電話帳に登録してある氏名を一覧表示させ、環状保持部２８の操作より該当する氏名を選択して電話をかける場合等に利用できる。また、ブラウザを起動してモニターに地図を表示させ、操作ボタン８を径方向に移動させることにより（すなわち、上下左右の４方向に限定されず、周囲のいずれの方向にも自由に移動させることにより）、地図上に表示させるポインタを所望の位置に移動させる場合等にも利用できる。
【００４８】
なお、本発明は、前記実施形態に記載の構成に限定されることなく種々の変更が可能である。
【００４９】
前記ベースプレート２は楕円形等を含む平面視略円形としたが、正方形、長方形等、種々の形状に形成することができる。また、前記円筒ケース４は、ベースプレート２の形状に合わせてその周縁部に配置可能な形状とすればよい。ベースプレート２を合成樹脂材料で構成し、成形加工により円筒ケース４と一体的に形成するようにしてもよい。アーム部２４は、押圧部２５を押込操作した際、所望の操作感触が得られるものであれば、その形状は問わない。また、アーム部２５は、片持ち梁構造としたが、両持ち梁構造として、その中間部を弾性変形させる等、構造は自由である。そして、その断面積は均一なものとしてもよいし、徐々に変化するものとしてもよい。コイルスプリングを４つ設けるようにしたが、２つ以上であればよい。また、コイルスプリングに限らず、種々の弾性部材を使用することができる。要は、ホルダ及びマグネットを備えた操作部材を、付与した力を除去することにより、常に所定位置に復帰させることができるものであればよい。
【００５０】
また、前記入力装置１を携帯電話に組み込んで利用する場合について説明したが、他の電子機器、例えば、ＰＨＳ（Personal Handy-phone System）、ＰＤＡ（Personal Digital Assistant）、デジタルカメラ、ＭＰ３プレーヤー、リモコン等に組み込むことも可能である。
【００５１】
また、前記ベースプレート２は、携帯電話等の筐体の一部で構成することも可能である。すなわち、筐体の一部にピンを設け、このピンを利用して所定位置にプリント基板３を組み付け、その後、他の部品を順次組み付けるように構成することも可能である。
【図面の簡単な説明】
【００５２】
【図１】本実施形態に係る入力装置の分解斜視図である。
【図２】図１の入力装置を底面側から見た状態を示す分解斜視図である。
【図３】（ａ）は本実施形態に係る入力装置の平面図、（ｂ）はＡ−Ａ線断面図、（ｃ）はＢ−Ｂ線断面図である。
【図４】（ａ）は図１に示す円筒ケースの斜視図、（ｂ）は底面側から見た状態を示す斜視図である。
【図５】図１のマグネット、取付プレート、コイルスプリング、及び、ホルダを示す拡大斜視図である。
【図６】図５のホルダを底面側から見た状態を示す斜視図である。
【図７】図１に示す入力装置の組立途中を示す分解斜視図である。
【図８】図１に示す入力装置を採用した電子機器（携帯電話）の平面図である。
【符号の説明】
【００５３】
１…入力装置
２…ベースプレート（ベース）
３…プリント基板（検出部材）
４…円筒ケース
５…マグネット（操作部材）
６…ホルダ（操作部材）
７…トッププレート
７ａ…中心孔
７ｂ…矩形孔
８…第１切欠部
９…スプリング受部
１０…第１延設部
１１…取付孔
１２ａ、１２ｂ…位置決め孔
１３…第１貫通孔
１４…検出部
１５…リード部
１６…第２切欠部
１７ａ…スイッチ
１７ｂ…スイッチ（第１の検出部）
１８…ホール素子（第２の検出部）
１９…第２貫通孔
２０…ＩＣ
２１…上方側係合突部
２２…抜止片
２３…下方側係合突部
２４…アーム部
２５…押圧部
２５ａ…突起
２６…第３切欠部
２７…ガイド溝（逃がし部）
２８…環状保持部
２９…長穴
３０…第４切欠部
３１…突出部
３２…第５切欠部
３３…橋梁部
３４…溝部
３５…第１突出部
３６…第２突出部
３６ａ…突起
３７…回止部
３８…取付プレート
３８ａ…中心孔
３８ｂ…切欠き
３８ｃ…矩形孔
３９…第２延設部
４０…コイルスプリング
４１ａ、４１ｂ…小径部
４２…第６切欠部
４３…操作ボタン
４３ａ…突出部
４４…携帯電話
４５…モニター
【要約】
【課題】操作性に優れ、所望の操作感触を得ることを可能とする。
【解決手段】ベース２と、筒状で、ベース２に装着され、内面に、弾性変形可能で、押込操作可能な押圧部２５を有する複数のアーム部２４を備えたケース４と、ベース２上に揺動操作可能に配置される操作部材５と、ケース４によって囲まれた領域内に配置され、押圧部２５の押込操作を検出する第１の検出部１７ｂ、及び、操作部材５による揺動操作を検出する第２の検出部２０を有する検出部材３とを備えた構成とする。
【選択図】図１【図１】
0004325727.tif 000002
【図２】
0004325727.tif 000003
【図３】
0004325727.tif 000004
【図４】
0004325727.tif 000005
【図５】
0004325727.tif 000006
【図６】
0004325727.tif 000007
【図７】
0004325727.tif 000008
【図８】
0004325727.tif 000009